(57)【要約】【課題】人工生育工程において生育された植物の苗が、自然栽培工程における目標とする時期に、自然環境に順応できる目標とする生育状態になっているようにすることができる植物生育装置等を提供する。【解決手段】植物生育装置１００は、筐体２００、環境調節部（５，８，９，１１，１２，１３，２０，７８，９５，９８）、および制御部５０を備えている。筐体２００は、植物１の苗を収容する。環境調節部（５，８，９，１１，１２，１３，２０，７８，９５，９８）は、筐体２００内の植物１の苗の周辺環境を調節する。制御部５０は、植物１の苗が予め定められた目標とする時期に、自然環境に順応できる予め定められた目標とする生育状態になっているように、環境調節部（５，８，９，１１，１２，１３，２０，７８，９５，９８）を制御する。【選択図】図１
2020031585.tif 000002
【特許請求の範囲】
【請求項１】
植物の苗を収容する筐体と、
前記筐体内の前記植物の苗の周辺環境を調節する環境調節部と、
前記植物の苗が予め定められた目標とする時期に自然環境に順応できる予め定められた目標とする生育状態になっているように、前記環境調節部を制御する制御部と、を備えた、植物生育装置。
【請求項２】
前記環境調節部は、前記植物の種子の萌芽を促進させる萌芽促進処理、前記植物の苗の休眠を打破する休眠打破処理、および、前記植物の苗の生長を促進する生長成促進処理のうちの少なくともいずれか１つを実行する、請求項１に記載の植物生育装置。
【請求項３】
前記制御部は、
前記植物の苗を生育するための複数種類の環境条件データを記憶する記憶部と、
前記植物の苗が前記目標とする時期に前記目標とする生育状態になっているように、前記記憶部に記憶された前記複数種類の環境条件データのうちのいずれか１つの環境条件データを選択する選択部と、
前記選択部によって選択された前記環境条件データによって特定される環境条件を実現するように前記環境調節部を制御する環境制御部と、を含む、請求項１または２に記載の植物生育装置。
【請求項４】
前記環境調節部に前記植物の周辺環境の調節を開始させるように前記制御部に調節開始指令を送信するように操作するための操作部をさらに備え、
前記制御部は、前記操作部から送信されてきた前記調節開始指令に基づいて、前記植物が前記目標とする時期に前記目標とする生育状態になっているように、前記植物の種子から前記植物の苗を生育する生育期間を特定する生育期間特定部を含み、
前記記憶部は、複数の前記生育期間にそれぞれ対応するように、前記複数種類の環境条件データを記憶しており、
前記選択部は、前記生育期間特定部によって特定された前記生育期間の情報に基づいて、前記複数種類の環境条件データのうちのいずれか１つの環境条件データを選択する、請求項３に記載の植物生育装置。
【請求項５】
前記植物の苗の生育の過程におけるマイルストーン時期に前記植物の苗の画像データを取得する撮像部をさらに備え、
前記制御部は、前記撮像部によって撮像された前記画像データに基づいて、前記マイルストーン時期に、前記植物の苗が前記目標とする時期に前記目標とする生育状態になっているように、前記環境条件データを更新する、請求項４に記載の植物生育装置。
【請求項６】
前記植物が多年生植物であり、
前記目標とする生育状態が前記多年生植物の第２生長サイクル以降における特定の生育状態である、請求項１〜５のいずれかに記載の植物生育装置。
【請求項７】
コンピュータを、植物の苗を収容する筐体と、前記筐体内の植物の苗の周辺環境を調節する環境調節部と、前記植物の苗が予め定められた目標とする時期に予め定められた目標とする生育状態になっているように、前記環境調節部を制御する制御部と、を備えた植物生育装置の前記制御部として動作させるための植物生育プログラム。
【請求項８】
植物生育装置の筐体内の人工的環境の下で、植物の苗を生育する人工生育工程と、
前記人工生育工程の後、圃場内の自然環境の下で、前記植物を前記苗から生長させる自然栽培工程と、を備え、
前記人工生育工程において生育された前記植物の苗が、予め定められた目標とする時期に前記自然環境に順応できる予め定められた目標とする生育状態になっているように、前記人工生育工程における前記筐体内の前記植物の苗の周辺環境を調節する、植物生育方法。
【発明の詳細な説明】
【技術分野】
【０００１】
本開示は、植物生育装置、植物生育プログラム、および植物生育方法に関する。
【背景技術】
【０００２】
従来から、たとえば、特許文献１に開示されているように、植物生育装置を用いて人工的に植物の苗を生育し、その後、圃場でその植物の苗を自然環境の下で生長させる植物生育方法が行われている。
【先行技術文献】
【特許文献】
【０００３】
【特許文献１】特開２０１６−１５８６０５号公報
【発明の概要】
【発明が解決しようとする課題】
【０００４】
上記のような人工生育と自然栽培とを組み合わせた植物生育方法においては、人工生育工程において生育された植物の苗が、目標とする時期に自然環境に順応できる目標とする生育状態になっていることが好ましい。しかしながら、そのようなことを実現する技術は確立されていない。
【０００５】
本開示は、このような従来技術の有する課題に鑑みてなされたものである。そして、本開示の目的は、人工生育工程において生育された植物の苗を目標とする時期に自然環境に順応できる目標とする生育状態にすることができる植物栽培装置および植物栽培プログラムを提供することである。
【０００６】
また、本開示の目的は、人工生育工程において生育された植物の苗を、目標とする時期に自然環境に順応できる目標とする生育状態にすることができる植物生育方法を提供することである。
【課題を解決するための手段】
【０００７】
上記課題を解決するために、本開示の第１の態様に係る植物生育装置は、植物の苗を収容する筐体と、前記筐体内の植物の苗の周辺環境を調節する環境調節部と、前記植物の苗が予め定められた目標とする時期に予め定められた目標とする生育状態になっているように、前記環境調節部を制御する制御部と、を備えている。
【０００８】
本開示の第２の態様に係る植物生育プログラムは、コンピュータを、植物の苗を収容する筐体と、前記筐体内の植物の苗の周辺環境を調節する環境調節部と、前記植物の苗が予め定められた目標とする時期に自然環境に順応できる予め定められた目標とする生育状態になっているように、前記環境調節部を制御する制御部と、を備えた植物生育装置の前記制御部として動作させるためのものである。
【０００９】
本開示の第３の態様に係る植物生育方法は、植物生育装置の筐体内の人工的環境の下で、植物の苗を生育する人工生育工程と、前記人工生育工程の後、圃場内の自然環境の下で、前記植物を前記苗から生長させる自然栽培工程と、を備え、前記人工生育工程において生育された前記植物の苗が、予め定められた目標とする時期に前記自然環境に順応できる予め定められた目標とする生育状態になっているように、前記人工生育工程における前記筐体内の前記植物の苗の周辺環境を調節する。
【発明の効果】
【００１０】
本開示の植物生育装置、植物生育プログラム、および植物生育方法によれば、人工生育工程において生育された植物の苗を、自然栽培工程における目標とする時期に、自然環境に順応できる目標とする生育状態にすることができる。
【図面の簡単な説明】
【００１１】
【図１】実施の形態の植物生育装置を説明するための図であって、植物生育装置内で生育されている植物が種子の状態である場合を示す図である。
【図２】実施の形態の植物生育装置を説明するための図であって、植物生育装置内で生育されている多年生の植物の苗が第１生育サイクルの第１人工生育期間の状態である場合を示す図である。
【図３】実施の形態の植物生育装置を説明するための図であって、植物生育装置内で生育されている多年生の植物の苗が第２の生育サイクルの第１人工休眠期間の状態である場合を示す図である。
【図４】実施の形態の植物生育装置の移植機構による植物の苗の移植を説明するための図である。
【図５】実施の形態の植物生育装置の制御部が実行する人工生育処理を説明するためのフローチャートである。
【図６】実施の形態の植物生育装置の制御部が実行する人工生育処理で用いられる環境条件データの一例を示すデータテーブルである。
【図７】実施の形態の植物生育装置の制御部が実行する環境条件変更処理を説明するためのフローチャートである。
【図８】実施の形態の植物生育装置の制御部が実行する環境条件変更処理によって変更された環境条件データの一例を示すデータテーブルである。
【図９】実施の形態の植物生育装置によって実行される人工生育工程における各期間と圃場で実行される自然栽培工程における各期間とを対比するための図である。
【発明を実施するための形態】
【００１２】
以下、図面を参照しながら、実施の形態の植物生育装置１００を説明する。
【００１３】
（植物生育装置によって生育される植物）
図１〜図３に示されるように、実施の形態の植物生育装置１００を用いて生育される植物１の例として、オタネニンジン（高麗人参または朝鮮人参）等の根菜類が挙げられる。ただし、実施の形態の植物生育装置１００によって生育され得る植物１は、オタネニンジンに限定されず、他の植物であってもよい。また、実施の形態の植物生育装置１００によって生育され得る植物１は、多年生植物に限定されず、１年生植物であってもよい。
【００１４】
実施の形態の植物生育装置１００は、特に、宿根草の水耕栽培に適している。宿根草は、多年生植物のうち、生育に適さない時期（多くの場合冬であるが、夏のこともある）には地上部が枯れてしまうが、その時期をすぎると発芽して再び生育を始めるものをいう。
【００１５】
（用語の定義）
本明細書においては、休眠は、多年生植物の地上部が枯れたことを意味する。休眠打破とは、多年生植物の地上部が枯れた後に、低温処理および植物ホルモン等を用いた萌芽を促進する処理を多年生植物に施すことを意味する。発芽とは、種子から芽が出ることを意味し、萌芽とは、休眠期における多年生植物の地下部から新しい地上部が出現することを意味する。
【００１６】
１回の生長サイクルは、地上部が枯れた休眠期と地上部が枯れていない生長期とを１回ずつ経験する期間である。具体的には、１回の生長サイクルの期間は、多年生植物の地上部が存在しない地下部から地上部が伸長し、その後、地上部が枯れることによって地下部のみが残存するまでの期間である。生長サイクルの回数は、休眠期と生長期とからなる１組の期間を経験した回数である。たとえば、５年生の植物は、５回の生長サイクルを経験する。
【００１７】
通常、自然栽培の場合、１回の植物１の生長サイクルの期間は、１年であることが多い。一方、植物生育装置内での多年生植物の人工生育においては、１回の植物１の生長サイクルの期間は、１年とは限らず、生育者が実現可能な範囲で任意に変更することができるものとする。人工生育における１回の植物１の生長サイクルの期間は、たとえば、３か月または４か月等の１年よりもかなり短い期間になり得るものとする。
【００１８】
多年生植物の移植とは、植物生育装置において生育されている苗を圃場に植え替えることを言う。また、植物１の苗とは、多年生植物の場合、生長サイクルの回数にかかわらず、植物生育装置から圃場へ移植されるまでの間の幼い草木を意味するものとする。
【００１９】
（植物生育装置の構造）
図１〜図３を用いて、実施の形態の植物生育装置１００を説明する。図１は、植物生育装置１００内で生育されている植物１が第１生育サイクルの種子期間（図９参照）の状態、すなわち、植物１が種子１Ｘの状態である場合を示す図である。図２は、植物生育装置１００内で生育されている多年生の植物１の苗が第１生育サイクルの第１人工生育期間（図９参照）の状態、すなわち地上部１Ｂを有する状態を示す図である。図３は、植物生育装置１００内で生育されている多年生の植物１の苗が第２生育サイクルの第１人工休眠期間（図９参照）の状態、すなわち地上部１Ｂが枯死した状態を示す図である。
【００２０】
図２および図３から分かるように、本実施の形態の植物生育装置１００は、いわゆる土壌を使用せずに、植物１の根１Ｃに水または養液６０に噴霧して植物１を栽培する、いわゆる水耕栽培装置である。植物生育装置１００は、水耕栽培のために、筐体２００、栽培槽６、地表面部７、環境調節部（５，８，９，１１，１２，１３，２０，７８，９５，９８）、制御部５０、操作部３００、および撮像部９５を備えている。植物生育装置１００は、植物１の苗を移植するための移植機構９０をさらに備えている。
【００２１】
図１〜図３に示されるように、筐体２００は、コンテナのような形状を有しており、植物１の苗を収容している。具体的には、筐体２００は、実質的に密閉された空間を構成している。そのため、筐体２００内の環境を人工的に調節することが可能である。筐体２００には、扉２１０（図４参照）が設けられている。植物１の生育者および移植機構９０は、いずれも、その扉２１０を開閉することにより、筐体２００に入ることができる。
【００２２】
図２および図３から分かるように、筐体２００内の空間は、植物１の地上部１Ｂが生育される地上空間２６を構成している。また、筐体２００内には、栽培槽６と地表面部７とで囲まれ、植物１の地下部１Ａが生育される地下空間１６が設けられている。栽培槽６内では水または養液６０が噴霧部２０から噴霧される。栽培槽６は、水または養液６０を排出するための排出口６Ｃを備えている。栽培槽６の底面は、噴霧部２０から噴霧された水または養液６０が排出口６Ｃに流れ込むように傾斜している。栽培槽６は、水槽のような構造をしている。
【００２３】
植物生育装置１００は、板状の地表面部７を備えており、地表面部７は、水耕栽培用の培地３０が挿入され得る貫通孔７Ａを有している。栽培槽６内においては、植物１の地下部１Ａが、水耕栽培用の培地３０を媒介として地表面部７に保持され、それによって、水または養液６０の上方に位置付けられている。地表面部７は、植物１の地下部１Ａが生育される地下空間１６と植物１の地上部１Ｂが生育される地上空間２６とを仕切っている。
【００２４】
植物生育装置１００の培地３０は、図１〜図３に示されるように、植物１の地下部１Ａを囲むように配置され、浸透した水分を保持し得るスポンジ等により構成されている。培地３０は、植物１の周囲に円筒状に形成されている。ただし、培地３０の外形は、直方体状の外形等、いかなる形状であってもよい。つまり、培地３０は、植物１の地下部１Ａの周面を取り囲むものであれば、いかなる外形を有していてもよい。植物１は、植物１とスポンジとの間に生じる摩擦力によって支持されている。培地３０を構成するスポンジは、生育されている植物１の大きさに応じて弾性変形することができる。
【００２５】
栽培槽６と地表面部７とは、植物１の地下部１Ａが生育されている地下空間１６を内包する地下室を構成している。栽培槽６と地表面部７とは、植物１の根１Ｃが浸るように水または養液６０を貯留し、かつ、地上空間２６から分離するように、地下空間１６を内包している。
【００２６】
本実施の形態の植物生育装置１００においては、地上空間２６の植物１の上方に植物１の地上部１Ｂに光を照射する光照射部５が設けられている。図２から分かるように、植物１の地上部１Ｂは、水耕栽培用の培地３０から上方に突出しているため、地上部１Ｂを構成する植物１の葉は、光照射部５からの光を受けて、光合成を行うことができる。したがって、制御部５０は、光照射部５を制御することにより、環境調節の一例である地上部１Ｂに照射される光の量の調節を実行する。一方、植物１の根１Ｃは、地下部１Ａの下側部分から栽培槽６の底面に向かって垂れ下がっている。
【００２７】
温度・湿度検出部９は、地下空間１６の雰囲気の温度および湿度を検出し、地下空間１６の雰囲気の温度の情報および地下空間１６の雰囲気の湿度の情報を制御部５０へ送信する。温度調節部７８は、水または養液６０の温度を調節することにより、環境調節の一例である地下空間１６の雰囲気の温度の調節を実行する。
【００２８】
噴霧部２０は、制御部５０から送信されてきた信号を受けて、閉状態から開状態へ変化する。それにより、噴霧部２０は、噴霧部２０は、ポンプ１１によって送られてきたタンク１２内の水または養液６０とともに、萌芽促進剤供給部１３から送られてきた萌芽促進剤を植物１の地下部１Ａに向かって噴霧する。したがって、噴霧部２０は、萌芽促進処理または休眠打破処理を実行する機能を有している。また、噴霧部２０は、水または養液６０の蒸発作用を利用して、環境調節の一例である地下空間１６の湿度の調節を実行する湿度調節機能も有している。
【００２９】
温度調節部７８は、地下空間１６内に存在する雰囲気の温度を調節する。具体的には、温度調節部７８は、ヒータ７０およびチラー８０を含んでいる。温度調節部７８は、地下空間１６の雰囲気の温度に応じて、ヒータ７０およびチラー８０のいずれかが地下空間１６の雰囲気の温度を調節する。
【００３０】
そのため、温度調節部７８は、たとえば、植物１の生育時期が休眠期である場合に、環境調節の一例として、地下空間１６の雰囲気の温度を一旦低下させた後に温度を上昇させる。それにより、種子１Ｘからの発芽を促進したり、植物１の地下部１Ａの休眠打破によって地上部１Ｂの出現を促進したりすることができる。つまり、種子１Ｘまたは植物１の地下部１Ａに冬が過ぎて春が到来したのと同様の経験をさせることができる。したがって、温度調節部７８は、萌芽促進処理または休眠打破処理を実行する機能も有している。
【００３１】
換気ファン８は、制御部５０に制御されることによって、地下空間１６の換気を行うことにより、地下空間１６の湿度の調節を行う機能を有している。空気調和機９８は、制御部５０に制御されることによって、地上空間２６の温度および湿度を調節するための機器である。
【００３２】
植物生育装置１００は、撮像部９５を備えている。撮像部９５は、一般的に使用されているビデオカメラである。ただし、撮像部９５は、植物１の地上部１Ｂの画像データを取得し、制御部５０へ送信する。
【００３３】
制御部５０は、光照射部５を制御する。また、制御部５０は、温度・湿度検出部９によって検出された地下空間１６の雰囲気の温度の情報に基づいて、換気ファン８および温度調節部７８を制御する。それにより、制御部５０は、環境調節の一例である地下空間１６の雰囲気の温度の調節を実行することができる。
【００３４】
制御部５０は、ポンプ１１の駆動を制御する。それにより、タンク１２に蓄えられている水または養液６０が噴霧部２０へ供給される。制御部５０は、萌芽促進剤供給部１３の開閉弁を開くことにより、萌芽促進剤をポンプ１１に供給する制御を実行する。
【００３５】
ポンプ１１に供給された萌芽促進剤は、水または養液６０に含まれた状態で、噴霧部２０から植物１へ吹き付けられる。萌芽促進剤は、スポンジからなる培地３０に吸収され、種子１Ｘまたは萌芽が生じる地下部１Ａの頂部まで到達する。これにより、制御部５０は、環境調節の一例である萌芽促進剤の植物１への供給量の調節を実行することができる。操作部３００は、植物１の生育者によって操作され、制御部５０へ情報を送信する。制御部５０は、操作部３００から送信されてきた情報に基づいて、環境調節部（５，８，９，１１，１２，１３，２０，７８，９５，９８）を制御することができる。操作部３００は、表示部Ｄを含んでおり、表示部Ｄは、操作部３００の操作によって入力された情報や制御部５０から送信されてきた情報を表示する。
【００３６】
以上の説明から分かるように、本実施の形態の環境調節部（５，８，９，１１，１２，１３，２０，７８，９５，９８）は、筐体２００内の植物１の苗の周辺環境を調節するための設備である。本実施の形態の環境調節部（５，８，９，１１，１２，１３，２０，７８，９５，９８）は、萌芽促進処理、休眠打破処理、および、生長成促進処理を実行することができる。萌芽促進処理とは、植物１の種子１Ｘの萌芽（発芽）を促進させる処理である。休眠打破処理とは、植物１の苗の休眠を打破する処理であり、具体的には、地下部１Ａから地上部１Ｂが伸長することを促進する処理である。生長促進処理は、本実施の形態においては、たとえば、植物１の苗の地上部１Ｂに照射される光の量を増加させることにより植物１の苗の地上部１Ｂ、すなわち葉での光合成を促進し、それにより、植物１の生長を促進する処理である。ただし、生長促進処理は、植物１の生長を促進する処理であれば、温度および湿度のうちの少なくともいずれか一方を最適化する処理等の他のいかなる処理であってもよい。
【００３７】
これらの処理によれば、人工生育工程における植物１の苗の生育を自然栽培工程における植物１の苗の生育に比較して速めることができる。その結果、目標とする時期に自然環境に順応できる目標とする生育状態の植物１の苗を需要者の必要とする数量の増減に応じて提供することができる可能性を高めることができる。
【００３８】
環境調節部（５，８，９，１１，１２，１３，２０，７８，９５，９８）は、光照射部５、換気ファン８、温度・湿度検出部９、ポンプ１１、タンク１２、萌芽促進剤供給部１３、噴霧部２０、温度調節部７８、撮像部９５、空気調和機９８を含んでいる。
【００３９】
ただし、環境調節部（５，８，９，１１，１２，１３，２０，７８，９５，９８）は、図１〜図３に描かれている機器に限らず、筐体２００内の酸素または二酸化炭素の濃度を調節する機構や水または養液６０の濃度を調節する機構を含んでいてもよい。環境調節部（５，８，９，１１，１２，１３，２０，７８，９５，９８）は、植物生育装置１００内の植物１の苗の周辺環境を調節することにより、植物１の苗の生育の速度を調節することができるものであれば、いかなるものであってもよい。
【００４０】
空気調和機９８および温度調節部７８は、いずれも、筐体２００内の空間の空気の温度を低下させた後、温度を上昇させることができる。そのため、空気調和機９８および温度調節部７８は、植物１に冬から春へ季節が変化したと感じさせることにより、萌芽促進処理または休眠打破処理を実行する機能を有している。
【００４１】
前述の環境調節部の一例の噴霧部２０、萌芽促進剤供給部１３、ポンプ１１、およびタンク１２は、水または養液６０に混入された萌芽促進剤を植物１の種子１Ｘまたは地下部１Ａに接触させる。それにより、噴霧部２０、萌芽促進剤供給部１３、ポンプ１１、およびタンク１２は、萌芽促進処理または休眠打破処理を実行する機能を有する。ただし、萌芽促進剤は、地上空間２６に設けられ、萌芽促進剤が混入された水または養液６０を受け取る萌芽促進剤吐出部（図示せず）から培地３０へ滴下されてもよい。
【００４２】
このように、萌芽促進剤が噴霧部２０から培地３０へ噴霧され、培地３０に浸透した萌芽促進剤が植物１の種子１Ｘまたは地下部１Ａの頂部へ到達することによって、萌芽促進処理または休眠打破処理を実行する機能が発揮される。
【００４３】
換気ファン８は、地下空間１６の空気を地上空間２６へ送り出したり、地上空間２６の空気を地下空間１６へ送り込んだりして、地下空間１６および地上空間２６の温度および湿度を変更することができる。それにより、萌芽促進処理または休眠打破処理を実行することができる。
【００４４】
なお、萌芽促進処理または休眠打破処理は、植物１の発芽または萌芽を促進できるのであれば、前述の環境調節部（５，８，９，１１，１２，１３，２０，７８，９５，９８）以外の機器によって実行されてもよい。
【００４５】
光照射部５は、光を発することにより、植物１の地上部１Ｂへ光を照射する。植物１の地上部１Ｂは、光照射部５から発せられた光を受けて、光合成を行う。光照射部５が発する光の量を変更することにより、植物１の光合成の量を増加させることができる。
【００４６】
本実施の形態の制御部５０は、植物生育プログラムを記憶している。植物生育プログラムは、コンピュータを制御部５０として動作させる。制御部５０は、光照射部５、換気ファン８、温度・湿度検出部９、ポンプ１１、タンク１２、萌芽促進剤供給部１３、噴霧部２０、温度調節部７８、および空気調和機９８を制御する。
【００４７】
本開示における植物生育装置１００またはそれを用いた植物生育方法の主体は、制御部５０としてのコンピュータを備えている。この制御部５０としてのコンピュータが植物生育プログラムを実行することによって、本開示における植物生育装置１００または植物生育方法の主体の機能が実現される。制御部５０としてのコンピュータは、プログラムに従って動作するプロセッサを主なハードウェア構成として備える。
【００４８】
プロセッサは、植物生育プログラムを実行することによって機能を実現することができれば、その種類は問わない。プロセッサは、半導体集積回路（ＩＣ）、又はＬＳＩ（largescale integration）を含む一つ又は複数の電子回路で構成される。ここでは、ＩＣやＬＳＩと呼んでいるが、集積の度合いによって呼び方が変わる。プロセッサは、たとえば、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。
【００４９】
複数の電子回路は、一つのチップに集積されてもよいし、複数のチップに設けられてもよい。複数のチップは一つの装置に集約されていてもよいし、複数の装置に備えられていてもよい。植物生育プログラムは、コンピュータが読み取り可能なＲＯＭ、光ディスク、ハードディスクドライブなどの非一時的記録媒体に記録される。植物生育プログラムは、記録媒体に予め格納されていてもよいし、インターネット等を含む広域通信網を介して記録媒体に供給されてもよい。
【００５０】
具体的には、制御部５０は、植物１の苗が予め定められた目標とする時期に自然環境に順応できる予め定められた目標とする生育状態になっているように、環境調節部（５，８，９，１１，１２，１３，２０，７８，９５，９８）を制御する。この制御部５０による制御の少なくともいずれか１つが、人工知能によって実現されてもよい。この制御部５０による制御の少なくともいずれか１つが、生育者の手動操作によって実現されてもよい。
【００５１】
上述のように、人工生育工程において生育された植物１の苗が、自然栽培工程における目標とする時期に自然環境に順応できる目標とする生育状態になっているように、植物生育装置１００内の植物１の苗の周辺環境を自動的に調節することができる。その結果、苗の状態で死滅する可能性が高い植物１をより確実に必要とされる状態まで生育させることが可能になる。
【００５２】
本実施の形態においては、植物１の苗の自然環境に順応できる目標とする生育状態は、多年生植物であるオタネニンジンの第２生長サイクルにおける人工休眠期間の終期（図９参照）の状態である。このようにすれば、自然環境の下で、オタネニンジンをその最終生長サイクルまでより確実に生長させることができる。
【００５３】
一般に、植物１の苗は、自然栽培工程においては、植物１の苗が目標とする時期に目標とする生育状態にならないことが多い。しかしながら、本実施の形態の植物生育装置１００によれば、植物１の苗が自然栽培工程における目標とする時期に自然環境に順応できる目標とする生育状態になっているように、植物生育装置１００内で植物１の苗を生育する。そのため、自然栽培に比較して、植物１の苗の生育不良を抑制することができる。
【００５４】
その結果、自然栽培のみで植物１の生育を行う場合に比較して、目標とする時期に自然環境に順応できる目標とする生育状態の植物１の苗をより確実に必要とされる数だけ圃場５００へ移植することができる。また、自然栽培工程に対応する人工生育工程の期間を短くすることが可能である。その結果、目標とする時期により近い時期から植物１の生育を開始することができる。したがって、需要者のニーズの増減に対してより柔軟に対応することができる。
【００５５】
以下、本実施の形態の植物生育装置１００によって実行される制御部５０による環境調節部（５，８，９，１１，１２，１３，２０，７８，９５，９８）の制御を具体的に説明する。
【００５６】
制御部５０は、図１〜図３に示されるように、記憶部Ｍ、選択部Ｈ、および環境制御部Ｌを備えている。記憶部Ｍは、植物１の苗を生育するための複数種類の環境条件データを記憶する。選択部Ｈは、植物１の苗が目標とする時期に自然環境に順応できる目標とする生育状態になっているように、記憶部Ｍに記憶された複数種類の環境条件データのうちのいずれか１つの環境条件データを選択する。
【００５７】
環境制御部Ｌは、選択部Ｈによって選択された環境条件データによって特定される環境条件を実現するように環境調節部（５，８，９，１１，１２，１３，２０，７８，９５，９８）を制御する。そのため、過去の植物１の苗の生育の実験から得られた環境条件データを利用して、植物１の苗が予め定められた目標とする時期に自然環境に順応できる予め定められた目標とする生育状態になっているように、植物１の苗の周辺環境を調節することができる。
【００５８】
操作部３００は、環境調節部（５，８，９，１１，１２，１３，２０，７８，９５，９８）に植物１の周辺環境の調節を開始させるように制御部５０に調節開始指令を送信するように操作するために用いられ得る。制御部５０は、操作部３００から送信されてきた調節開始指令に基づいて、植物１が目標とする時期に自然環境に順応できる目標とする生育状態になっているように、植物１の種子１Ｘから植物１の苗を生育する生育期間を特定する生育期間特定部Ｉを含んでいる。
【００５９】
記憶部Ｍは、複数の生育期間にそれぞれ対応するように、複数種類の環境条件データを記憶している（図６参照）。選択部Ｈは、生育期間特定部Ｉによって特定された生育期間の情報に基づいて、複数種類の環境条件データのうちのいずれか１つの環境条件データを選択する。これによれば、植物１の苗が予め定められた目標とする時期に自然環境に順応できる予め定められた目標とする生育状態になっているように、植物１の苗の周辺環境を簡単な手法で調節することができる。
【００６０】
撮像部９５は、植物１の苗の生育の過程におけるマイルストーン時期に植物１の苗の画像データを取得する。制御部５０は、撮像部９５によって撮像された画像データに基づいて、マイルストーン時期に、植物１の苗が目標とする時期に目標とする生育状態になっているように、環境条件データを更新する。なお、複数のマイルストーン時期が設定されていてもよい。
【００６１】
本実施の形態においては、マイルストーン時期は、たとえば、植物生育装置１００内での植物１の苗の第１人工生育期間のある特定の時期であるものとするが、他の時期であってもよい。第１人工育成期間をマイルストーン時期として選択した理由は、地上部１Ｂが形成されている時期であり、たとえば、葉の大きさから植物の生育状態の遅れ日数（または早熟日数）を把握することが容易であるからである。
【００６２】
図４に示されるように、移植機構９０は、制御部５０に制御されることにより、人工栽培工程を終了した植物１の苗を、培地３０から抜き取り、抜きとった植物１の苗を保持した状態で、圃場５００まで移動する。本実施の形態においては、移植機構９０は、自動走行可能なロボットアームである。移植機構９０が筐体２００内の植物１の苗を圃場５００へ移動するときには、制御部５０は、筐体２００の扉２１０を開く制御を実行する。なお、筐体２００の扉２１０の開閉および移植機構９０の動作を植物１の生育者が手作業で行ってもよい。
【００６３】
図４に示されるように、圃場５００には、土壌５０１があり、植物１の苗の地下部１Ａの大半が移植機構９０によって土壌５０１に差し込まれる。なお、圃場５００には、図示されていないが、側方からの間接光が植物１に照射されるが、直射日光が植物１に照射されることを避けるように、柱と屋根とが設けられていてもよい。本実施の形態においては、圃場５００は、純粋の自然環境のみを利用して植物１を生長させる場所のみならず、多少の人工物が設けられているものであってもよい。つまり、圃場５００は、自然の土壌（人口的に水が供給される土壌を含む）、自然の雰囲気（建物の内部であって外気と連通している雰囲気を含む）および自然の光（直接光および間接光のいずれも含む）の下で植物１を生長させる場所であればよい。
【００６４】
図５を用いて、制御部５０が実行する人工生育処理を説明する。人工生育処理は、制御部５０に内蔵された植物生育プログラムに基づいて実行される。図５に示されるように、人工生育処理においては、ステップＳ１において、制御部５０は、操作部３００の操作があったか否かを判定する。ステップＳ１において、操作部３００の操作がなければ、制御部５０は、ステップＳ１の処理を繰り返す。
【００６５】
一方、ステップＳ１において、操作部３００の操作があったと判定されると、ステップＳ２において、制御部５０は、操作部３００の操作があった現在の時期から予め定められた目標とする時期までの期間を算出する。予め定められた目標とする時期は、植物生育装置１００から圃場５００への植物１の苗の移植の時期である。予め定められた目標とする時期は、植物生育プログラムに予め書き込まれた固定された時期であってもよいが、植物１の生育者の操作部３００の操作によって記憶部Ｍにおいて書き換え可能な時期であってもよい。
【００６６】
本実施の形態においては、目標とする時期は、自然栽培における多年生の植物１の第２回生長サイクルにおける第２自然生育期間の終期であって、地上部１Ｂが枯死している時期である（図９参照）。
【００６７】
植物１の苗の移植の時期においては、植物生育装置１００において生育された植物１の苗がその移植の時期の自然環境に順応できる生育状態になっている。具体的には、植物生育装置１００において生育された植物１の苗は、自然栽培における多年生の植物１の第２生長サイクルにおける第２自然生育期間の終期の状態であって、地上部１Ｂが枯死している状態になっている（図９参照）。
【００６８】
次に、ステップＳ３において、制御部５０は、実現可能か否か、すなわち、目標とする時期に自然環境に順応できる目標とする生育状態まで植物１の苗を生育させることができるか否かを判定する。本実施の形態においては、制御部５０は、操作部３００が操作された現在の時期から目標とする時期までの生育期間（日数）（図９参照）を特定する。
【００６９】
目標とする時期に目標とする生育状態まで植物１の苗を生育させることができるか否かは、操作部３００が操作された時期から目標とする時期までの生育期間（日数）に基づいて判定される。ここでは、操作部３００が操作された時期から目標とする時期までの生育期間（日数）が、予め定められた最低必要日数、たとえば、１０日以上であれば、制御部５０は実現可能と判定する。この最低必要日数は、植物１の苗の生育実験により予め決定されている。
【００７０】
ステップＳ３において、目標とする時期に自然環境に順応できる目標とする生育状態まで植物１を生育させることができないと判定される場合がある。この場合、制御部５０は、ステップＳ４において、操作部３００に設けられた表示部Ｄ（図１〜図３参照）に、目標とする時期に自然環境に順応できる目標とする生育状態まで植物１を生育させることができない旨を表示させる。一方、ステップＳ３において、目標とする時期に自然環境に順応できる目標とする生育状態まで植物１を生育させることができると判定されると、制御部５０は、ステップＳ５において、環境調節処理を実行する。
【００７１】
ステップＳ５においては、制御部５０の選択部Ｈは、植物１の苗が目標とする時期に自然環境に順応できる目標とする生育状態になっているように、記憶部Ｍに記憶された複数種類の環境条件データのうちのいずれか１つの環境条件データを選択する。
【００７２】
図６に示されるように、記憶部Ｍは、データテーブルＩとして、環境制御データのパターン１、２、３、４、５・・・ｘ・・・ｎごとに、操作部３００が操作された時期から目標とする時期までの生育期間（日数）を記憶している。記憶部Ｍは、そのデータテーブルＩに記憶された生育期間（日数）の間に植物１の種子１Ｘ（図１参照）を目標とする生育状態まで生育するために必要な萌芽促進剤の量および光照射部５の照明量を記憶している。記憶部Ｍは、そのデータテーブルＩに記憶された生育期間（日数）の間に植物１の種子１Ｘを目標とする生育状態まで生育するための地下空間１６および地上空間２６のそれぞれの温度、ならびに、地下空間１６および地上空間２６のそれぞれの湿度を記憶している。
【００７３】
図６の萌芽促進剤の量は、萌芽促進剤供給部１３によって水または養液６０に混入される植物ホルモンの単位時間あたりの量である。図６の温度は、地下空間１６および地上空間２６のそれぞれの温度である。図６の湿度は、地下空間１６および地上空間２６のそれぞれの湿度である。図６の照明量は、光照射部５の照度である。
【００７４】
たとえば、環境条件のパターンｘは、萌芽促進剤の量がＡｘであり、温度Ｂｘであり、湿度がＣｘ、および照度がＤｘである。このように環境条件のパターンｘ（＝１〜ｎ）ごとに、環境条件の各数値が予め定められている。
【００７５】
したがって、選択部Ｈは、既に算出された操作部３００が操作された時期から目標とする時期までの生育期間（日数）に基づいて、萌芽促進剤供給部１３から供給される萌芽促進剤の量および光照射部５の照明量（光量）を決定する。また、選択部Ｈは、既に算出された操作部３００が操作された時期から目標とする時期までの生育期間（日数）に基づいて、地下空間１６および地上空間２６のそれぞれの温度、ならびに、地下空間１６および地上空間２６のそれぞれの湿度を決定する。萌芽促進剤供給部１３から供給される萌芽促進剤の量、光照射部５の照明量（光量）、地下空間１６および地上空間２６のそれぞれの温度、ならびに、地下空間１６および地上空間２６のそれぞれの湿度は、図６のデータテーブルから選択された環境条件データである。
【００７６】
制御部５０の環境制御部Ｌは、選択された環境条件を実現するように、光照射部５、換気ファン８、温度・湿度検出部９、ポンプ１１、タンク１２、萌芽促進剤供給部１３、噴霧部２０、温度調節部７８、および空気調和機９８を制御する。つまり、制御部５０は、選択部Ｈによって選択された環境条件データによって特定される環境条件を実現するように環境調節部（５，８，９，１１，１２，１３，２０，７８，９５，９８）を制御する。
【００７７】
ステップＳ５の処理を実行した後、ステップＳ６において、制御部５０は、現在の時期が植物１の苗を植物生育装置１００内から圃場５００へ移植すべき移植時期であるか否かを判定する。現在の時期が移植時期であるか否かは、タイマＴによって計時されている現在の暦上の時間に基づいて判定される。
【００７８】
ステップＳ６において、現在の時期が移植時期であると判定されなければ、制御部５０は、ステップＳ５の処理において設定された環境条件データに基づいて、環境調節部（５，８，９，１１，１２，１３，２０，７８，９５，９８）を制御し続ける。
【００７９】
一方、ステップＳ６において、現在の時期が移植時期であると判定されれば、ステップＳ７において、制御部５０は、扉２１０を開き、移植機構９０に植物１の苗を植物生育装置１００内から圃場５００へ移植させる。このとき、制御部５０は、表示部Ｄに移植時期である旨の表示を行わせる。これにより、生育者は、現在の時期が植物１の苗を植物生育装置１００から圃場５００へ移植する時期であることを把握することができる。
【００８０】
図７を用いて、制御部５０が実行する環境条件変更処理を説明する。環境条件変更処理は、図６の環境条件調節処理において実行される処理である。環境条件変更処理は、必須の処理ではないが、植物１の苗が過去の実験データどおりに生育していない場合に、植物１の苗の生育状態を目標とする生育状態により近づけるために実行される。環境条件変更処理は、制御部５０に内蔵された植物生育プログラムに基づいて実行される。
【００８１】
図７に示されるように、環境条件変更処理においては、ステップＳ１１において、制御部５０は、現在の時期がマイルストーン時期であるのか否かを判定する。ステップＳ１１において、現在の時期がマイルストーン時期でなければ、制御部５０は、ステップＳ１１の処理を繰り返す。ステップＳ１１において、現在の時期がマイルストーン時期であれば、ステップＳ１２において、制御部５０は、撮像部９５に植物１の苗の画像データを取得させる。
【００８２】
その後、ステップＳ１３において、撮像部９５によって取得された画像データと記憶部Ｍに格納されているマイルストーン時期の基準画像データとを比較する。その後、ステップＳ１４において、その比較結果に基づいて、植物１の苗の生育の遅れ日数（または早熟日数）を特定する。たとえば、制御部５０は、植物１のある特定の部位の大きさ、たとええば、葉の大きさと基準画像データの植物の葉の大きさを比較することにより、その大きさの差から植物１の苗の生育の遅れ日数（または早熟日数）を特定する。その後、ステップＳ１５において、ステップＳ１４において特定された遅れ日数（または早熟日数）に基づいて、植物１の苗が目標とする時期に目標とする生育状態になっているように、環境条件データを更新する。
【００８３】
図８に示されるように、記憶部Ｍは、図６のテーブルＩとは異なる環境条件データを記憶したテーブルＩＩを記憶している。ここでは、たとえば、マイルストーン時期は、第１生長サイクルの第１人工生育期間とする。
【００８４】
具体的には、記憶部Ｍは、環境制御データのパターン１０１、１０２、１０３、１０４、１０５・・・ｘ・・・ｋごとに、マイルストーン時期の植物１の生育状態の遅れ日数（早熟日数）を記憶している。記憶部Ｍは、その遅れ日数（早熟日数）を取り戻すことができ、目標とする時期に自然環境に順応できる目標とする生育状態に植物１の苗を生育するための萌芽促進剤の量および光照射部５の照明量を記憶している。また、記憶部Ｍは、その遅れ日数（早熟日数）を取り戻すことができ、目標とする時期に自然環境に順応できる目標とする生育状態に植物１の苗を生育するための地下空間１６および地上空間２６のそれぞれの温度および湿度を記憶している。
【００８５】
図８に示されたデータテーブルＩＩの遅れ日数（または早熟日数）を取り戻すことができ、目標とする時期に自然環境に順応できる目標とする生育状態に植物１の苗を生育するための環境条件データも、予め植物１の生育実験により作成されている。
【００８６】
図８に示されるたとえば、環境条件のパターンｘは、萌芽促進剤の量がＡｘであり、温度Ｂｘであり、湿度がＣｘ、および照度がＤｘである。このように環境条件のパターンｘ（＝１〜ｋ）ごとに、環境条件の数値が予め定められている。
【００８７】
このとき、制御部５０は、図８に示されるデータテーブルを用いて、複数の環境条件データのうちから選択部Ｈによって選択された新たな１つの環境条件データを選択してもよい。制御部５０は、この新たな環境条件データによって特定される環境条件が実現されるように、環境調節部（５，８，９，１１，１２，１３，２０，７８，９５，９８）を制御する。
【００８８】
（植物生育方法）
本実施の形態においては、制御部５０が植物生育装置１００内での植物１の苗の生育状態の全てを制御する例を示した。しかしながら、制御部５０による植物１の苗の周辺環境を調節する環境調節部の制御の一部または全てが生育者の機器の手動操作または手作業によって実行されてもよい。つまり、本実施の形態の植物生育方法は、少なくとも、次に示される工程が実行されるものであればよい。
【００８９】
図９に示されるように、本実施の形態の植物生育方法は、自然栽培工程および人工生育工程を備えている。
【００９０】
図９において、自然栽培工程における点線で描かれている各期間は、植物１が自然環境の下で理想的な栽培が実行されていると仮定した場合の植物１の生育状態を示す仮想の期間である。図９において、自然栽培工程における実線で示されている各期間は、植物生育装置１００内の植物１の苗が圃場５００へ移植された後、植物１が自然環境の下で栽培されているときの植物１の生育状態を示す実際の期間である。
【００９１】
図９に示されるように、本実施の形態においては、前述の仮想の期間は、自然種子期間、第１自然生育期間、第１自然休眠期間、および第２自然生育期間を含む。自然種子期間と第１自然生育期間との間に、種子から発芽および発根が生じると仮定されている。第１自然生育期間から第１休眠期間までの間および第２自然生育期間から第２休眠期間までの間に、地上部１Ｂが枯死すると仮定されている。第１自然休眠期間から第２自然生育期間までの間に、地下部１Ａから地上部１Ｂが出現すると仮定されている。
【００９２】
図９に示されるように、本実施の形態においては、前述の実際の期間は、第２自然休眠期間、第３自然生育期間、ならびに、それ以後の自然休眠期間および自然生育期間からなる。第２自然休眠期間から第３自然生育期間までの間、および、それ以後の自然休眠期間から自然生育期間までの間に、自然環境の下で実際に地下部１Ａから発芽が生じると仮定されている。なお、実際の自然栽培においては、第３自休眠育期間から第４自然生育期間までの間、および、それ以後の自然休眠期間から自然生育期間までの間に、自然環境の下で実際に地下部１Ａから発芽が生じると仮定されている。
【００９３】
図９に示されるように、本実施の形態においては、人工生育期間は、人工種子期間、第１人工生育期間、第１人工休眠期間、および第２人工生育期間を含む。人工種子期間において冷温処理および萌芽促進処理が実行された結果、人工種子期間と第１人工生育期間との間に、植物生育装置１００内で、実際に種子から発芽および発根が生じる。第１人工生育期間から第１人工休眠期間までの間および第２人工生育期間の後、植物生育装置１００内で実際に地上部１Ｂが枯死する。第２人工生育期間の後に、地上部１Ｂが枯死した植物１の地下部１Ａが圃場５００へ移植される。
【００９４】
要するに、本実施の形態の植物育成方法においては、次の方法が実行される。人工生育工程においては、植物生育装置の筐体２００内の人工的環境の下で、植物１の苗を生育する。自然栽培工程においては、人工生育工程の後、圃場５００内の自然環境の下で、植物１を苗から生長させる。人工生育工程における筐体２００内の植物１の苗の周辺環境を調節する。それにより、人工生育工程において生育された植物１の苗が、自然栽培工程における目標とする時期に、自然環境に順応できる目標とする生育状態になっている。
【００９５】
その結果、自然栽培のみで植物１の生育を行う場合に比較して、目標とする時期に自然環境に順応できる目標とする生育状態の植物１の苗をより確実に必要とされる数だけ圃場５００へ移植することができる。また、自然栽培工程に対応する人工生育工程の期間を短くすれば、植物１の苗を必要とする者のニーズの増減に応じて、目標とする時期により近い時期から植物１の人工生育を開始することができる。
【００９６】
以下、実施の形態の植物生育装置１００、植物生育プログラム、および植物生育方法の特徴的構成およびそれにより得られる効果を説明する。
【００９７】
（１）  植物生育装置１００は、筐体２００、環境調節部（５，８，９，１１，１２，１３，２０，７８，９５，９８）、および制御部５０を備えている。筐体２００は、植物１の苗を収容する。環境調節部（５，８，９，１１，１２，１３，２０，７８，９５，９８）は、筐体２００内の植物１の苗の周辺環境を調節する。制御部５０は、植物１の苗が予め定められた目標とする時期に自然環境に順応できる予め定められた目標とする生育状態になっているように、環境調節部（５，８，９，１１，１２，１３，２０，７８，９５，９８）を制御する。
【００９８】
これによれば、人工生育工程において生育された植物１の苗が、自然栽培工程における目標とする時期に自然環境に順応できる目標とする生育状態になっているように、植物生育装置１００内の植物１の苗の周辺環境を自動的に調節することができる。その結果、苗の状態で死滅する可能性が高い植物１をより確実に必要とされる状態まで生育させることができる。
【００９９】
（２）  環境調節部（５，８，９，１１，１２，１３，２０，７８，９５，９８）は、萌芽促進処理、休眠打破処理、および、生長促進処理のうちの少なくともいずれか１つを実行する。萌芽促進処理は、植物１の種子１Ｘの萌芽を促進させるものである。休眠打破処理は、植物１の苗の休眠を打破するものである。生長促進処理は、植物１の苗の生長を促進するものである。生長促進処理は、たとえば、植物１に照射される光の量を増加させる処理、または、温度および湿度の少なくともいずれか一方を最適化する処理等のいかなる処理であってもよい。
【０１００】
これによれば、人工栽培の期間における植物１の苗の生育の速度を自然栽培の期間における植物１の苗の生育の速度に比較して速めることができる。その結果、目標とする時期に目標とする生育状態の植物１の苗を需要者の必要とする数量に応じて生産することができる可能性を高めることができる。
【０１０１】
（３）  制御部５０は、記憶部Ｍ、選択部Ｈ、および環境制御部Ｌを備えている。記憶部Ｍは、植物１の苗を生育するための複数種類の環境条件データを記憶する。選択部Ｈは、植物１の苗が目標とする時期に目標とする生育状態になっているように、記憶部Ｍに記憶された複数種類の環境条件データのうちのいずれか１つの環境条件データを選択する。環境制御部Ｌは、選択部Ｈによって選択された環境条件データによって特定される環境条件を実現するように環境調節部（５，８，９，１１，１２，１３，２０，７８，９５，９８）を制御する。
【０１０２】
これによれば、過去の植物１の苗の生育の実験から得られた環境条件データを利用して、植物１の苗が予め定められた目標とする時期に予め定められた目標とする生育状態になっているように植物１の苗の周辺環境を調節することができる。
【０１０３】
（４）  植物生育装置１００は、操作部３００をさらに備えていてもよい。操作部３００は、環境調節部（５，８，９，１１，１２，１３，２０，７８，９５，９８）に植物１の周辺環境の調節を開始させるように制御部５０に調節開始指令を送信するように操作するためのものである。この場合、制御部５０は、操作部３００から送信されてきた調節開始指令に基づいて、植物１が目標とする時期に目標とする生育状態になっているように、植物１の種子１Ｘから植物１の苗を生育する生育期間を特定する生育期間特定部Ｉを含んでいる。記憶部Ｍは、複数の生育期間にそれぞれ対応するように、複数種類の環境条件データを記憶している。選択部Ｈは、生育期間特定部Ｉによって特定された生育期間の情報に基づいて、複数種類の環境条件データのうちのいずれか１つの環境条件データを選択する。これによれば、植物１の苗が予め定められた目標とする時期に予め定められた目標とする生育状態になっているように、植物１の苗の周辺環境を簡単な手法で調節することができる。
【０１０４】
（５）  植物生育装置１００は、植物１の苗の生育の過程におけるマイルストーン時期に植物１の苗の画像データを取得する撮像部９５をさらに備えていてもよい。この場合、制御部５０は、撮像部９５によって撮像された画像データに基づいて、マイルストーン時期に、植物１の苗が目標とする時期に目標とする生育状態になっているように、環境条件データを更新する。
【０１０５】
これによれば、植物１の苗が予め定められた目標とする時期に予め定められた目標とする生育状態になっている状態をより確実に実現することができる。
【０１０６】
（６）  植物１が多年生植物であり、目標とする生育状態が多年生植物の第２生長サイクル以降における特定の生育状態であってもよい。これによれば、多年生植物をその最終の生長サイクルまでより確実に生長させることができる。
【０１０７】
（７）  植物生育プログラムは、コンピュータを、前述の植物生育装置１００の制御部５０として動作させるためのものである。
【０１０８】
（８）  植物生育方法は、人工生育工程および自然栽培工程を備えている。人工生育工程においては、植物生育装置１００の筐体２００内の人工的環境の下で、植物１の苗を生育する。自然栽培工程においては、人工生育工程の後、圃場５００内の自然環境の下で、植物１を苗から生長させる。人工生育工程における筐体２００内の植物１の苗の周辺環境を調節する。それにより、人工生育工程において生育された植物１の苗が、予め定められた目標とする時期に自然環境に順応できる予め定められた目標とする生育状態になっている。これによれば、人工栽培と自然栽培とを組み合わせて植物を生育することができる。
【符号の説明】
【０１０９】
１  植物
５，８，９，１２，１３，２０，７８，９５，９８  環境調節部
５０  制御部
９５  撮像部
２００  筐体
３００  操作部
Ｍ  記憶部
Ｈ  選択部
Ｉ  生育期間特定部
Ｌ  環境制御部
【図１】
2020031585.tif 000003
【図２】
2020031585.tif 000004
【図３】
2020031585.tif 000005
【図４】
2020031585.tif 000006
【図５】
2020031585.tif 000007
【図６】
2020031585.tif 000008
【図７】
2020031585.tif 000009
【図８】
2020031585.tif 000010
【図９】
2020031585.tif 000011